(57)【要約】【課題】  記録中の急激な電源遮断等によるデータの消失を防止すること。【解決手段】  上記の課題を解決するために、本発明のディスク記録再生装置では以下のような技術手段を採用する。  データ記録中に記録内容の目次情報を一定記録単位毎あるいは一定周期毎に生成する目次情報生成手段と、該目次情報を記憶する目次情報記憶手段とを有し、  記録終了時に目次情報をディスクに記録できなかった場合は、前記目次情報記憶手段に記憶されている目次情報を参照してディスクに記録再生を行う。【選択図】  図１
2008159163.tif 000002
【特許請求の範囲】
【請求項１】
ディスクを装着可能なディスク記録再生装置であって、
データ記録中に記録内容の目次情報を一定記録単位毎あるいは一定周期毎に生成する目次情報生成手段と、
前記目次情報生成手段により生成された目次情報を記憶する目次情報記憶手段と、
を有し、
記録終了時に目次情報をディスクに記録できなかった場合は、前記目次情報記憶手段に記憶されている目次情報を参照してディスクに記録再生を行うことを特徴とするディスク記録再生装置。
【請求項２】
ディスクを装着可能なディスク記録再生装置であって、
データ記録中に記録内容の目次情報を一定記録単位毎あるいは一定周期毎に生成する目次情報生成手段と、
前記目次情報生成手段により生成された目次情報を記憶する目次情報記憶手段と、
記録終了時に目次情報をディスクに記録できたかどうかを記憶する記憶手段と、
を有し、
ディスク記録再生開始時に前記記憶手段を参照し、該記憶手段が目次情報をディスクに記録できなかったことを示す場合は、前記目次情報記憶手段に記憶されている目次情報を参照してディスクに記録再生を行うことを特徴とするディスク記録再生装置。
【請求項３】
請求項１または請求項２に記載のディスク記録再生装置であって、
前記目次情報記憶手段に記憶されている目次情報を参照してディスクに記録再生を行う際に、該目次情報記憶手段に記憶されている目次情報をディスクに記録することを特徴とするディスク記録再生装置。
【請求項４】
ディスクを装着可能なディスク記録再生装置であって、
データ記録中に記録内容の目次情報を一定記録単位毎あるいは一定周期毎に生成する目次情報生成手段を有し、
データ記録中に記録内容の目次情報を一定記録単位毎あるいは一定周期毎にディスクに記録することを特徴とするディスク記録再生装置。
【発明の詳細な説明】
【技術分野】
【０００１】
本発明は、ディスク記録再生装置に関する。
【背景技術】
【０００２】
本技術分野の背景技術としては、例えば特開平５−５４５１８号公報がある。本公報には「メイン電源を供給するメイン電源供給手段と、バックアップ用電源供給手段と、上記メイン電源供給手段の電圧を検出する電圧検出手段と、記録内容のＴＯＣ情報を一時記憶するＴＯＣ情報記憶手段と、装置各部の動作制御用の制御手段とを有し、上記電圧検出手段により上記メイン電源供給手段の出力電圧が所定の閾値に対して低いことが検出されたとき、上記バックアップ用電源供給手段からの電源を少なくとも上記制御手段及びＴＯＣ情報記憶手段に供給することにより、上述の課題を解決する」と記載されている。
【０００３】
【特許文献１】特開平５−５４５１８号公報
【発明の開示】
【発明が解決しようとする課題】
【０００４】
光ディスクの代表例であるＤＶＤ（Ｄｉｇｉｔａｌ Ｖｅｒｓａｔｉｌｅ Ｄｉｓｃ）を記録可能としたものにＤＶＤ−ＲＡＭ、ＤＶＤ−Ｒ、ＤＶＤ−ＲＷ等がある。また、次世代の光ディスクとしてはＢＤ（Ｂｌｕ−ｒａｙ  Ｄｉｓｃ）やＨＤ  ＤＶＤ（Ｈｉｇｈ  Ｄｅｆｉｎｉｔｉｏｎ  ＤＶＤ）等がある。近年これらの光ディスクを記憶媒体としたビデオレコーダやビデオカメラが製品化されており、記憶媒体はテープからディスクに急速に移行しつつある。
【０００５】
その理由として、光ディスクは早送り、巻き戻しが不要で、高速な検索が可能であることが挙げられる。
【０００６】
ところで、一般に光ディスクにはＴＯＣ（Ｔａｂｌｅ  Ｏｆ  Ｃｏｎｔｅｎｔｓ）と呼ばれるディスク内容の目次情報が存在し、ディスクに入っている全てのデータについて、そのデータの内容、開始アドレス、終了アドレス等が記録されている。このＴＯＣにより高速な検索が可能となる一方で、このＴＯＣが何らかの原因で記録できなかった場合や壊れてしまった場合には、その光ディスクのデータが失われる。通常ＴＯＣはメインデータを記録した後に記録するため、例えばビデオレコーダやビデオカメラの記録途中に電源遮断等が発生してＴＯＣ記録ができなかった場合には、そのデータの開始アドレス、終了アドレスの情報がないためにデータが存在しないことになり、結果としてそれまで記録されたデータが失われることになる。
【０００７】
上記特許文献１では、メイン電源供給手段の出力電圧が所定の閾値に対して低いことが検出されたとき、ディスクへの記録を終了させ、それまでの記録内容を１曲とする曲情報（ＴＯＣ情報）をＲＡＭに記憶させておき、メイン電源回復のとき、ＲＡＭに記憶されたＴＯＣ情報を光磁気ディスクに記録した後、記録動作を停止させている。しかし、ビデオカメラ等において例えば、ＡＣ電源に接続した状態で記録している最中にＡＣ電源が抜かれて場合や、カメラ撮影中に該カメラを落下させてしまいバッテリーが突然外れる等のトラブルにより急激な電源遮断が発生した場合には、ＴＯＣ情報の退避動作を完了できずにデータ消失に至るという課題がある。
【０００８】
本発明は、データ消失を低減させることを目的とする。
【課題を解決するための手段】
【０００９】
上記目的は、その一例として目次情報の記録を工夫することで達成できる。
【発明の効果】
【００１０】
本発明によれば、データ消失を低減できる。
【発明を実施するための最良の形態】
【００１１】
以下、本発明をＤＶＤ記録再生装置に適用した場合の実施例を説明する。
【実施例１】
【００１２】
図１は本発明の第１の実施例であるＤＶＤ記録再生装置の記録データ処理に関係する回路の構成を示すブロック図である。１はＡＴＡＰＩ回路であり、ホストコンピュータからスクランブル回路２にデータを送る。２はスクランブル回路であり、ＡＴＡＰＩ回路１からＤＲＡＭ３にデータを転送する際にデータのスクランブルを行う。３はＤＲＡＭでありデータのバッファリングを行う。４は誤り訂正符号付加回路であり、ＤＲＡＭ３からデータを読み出してシンドローム演算を行いＤＲＡＭ３上に誤り訂正符号を生成する。５は変調回路であり、ＤＲＡＭ３から送られたデータおよび誤り訂正符号を８／１６変調して光ピックアップ６に送る。６は光ピックアップであり、変調回路５から送られた８／１６変調データを光ディスク７に記録する。８はシステムコントローラであり、前記各回路を制御してディスクに対する記録再生動作を行う。また、定期的にＴＯＣ情報を生成してＤＲＡＭ３に転送する。９はフラッシュメモリであり、ＤＲＡＭ３上に生成されたＴＯＣ情報を定期的に記憶する。１０はメモリコントローラであり、ＤＲＡＭ３およびフラッシュメモリ９を制御して各回路とのデータ転送を行う。
【００１３】
ＤＶＤに記録する場合、ＡＴＡＰＩ回路１を介してホストコンピュータから送られたデータはまずスクランブル回路２でスクランブルが行われた後、ＤＲＡＭ３に格納される。ＤＲＡＭ３に格納されたデータは誤り訂正符号付加回路４に読み込まれ、シンドローム演算が行われ、ＤＲＡＭ３上に誤り訂正符号が生成される。ＤＲＡＭ３のデータと誤り訂正符号は変調回路５で８／１６変調され、光ピックアップ６を介して光ディスク７に記録される。
【００１４】
記録終了時にはシステムコントローラ８によりＤＲＡＭ３上にＴＯＣ情報が生成され、変調回路５、光ピックアップ６を介して光ディスク７に記録される。
【００１５】
さらに、記録中は一定記録単位毎あるいは一定周期毎にシステムコントローラ８によりＤＲＡＭ３上にＴＯＣ情報が生成され、このＴＯＣ情報はフラッシュメモリ９に記録される。フラッシュメモリ９は複数のＴＯＣ情報格納エリアあるいは複数のフラッシュメモリで構成されており、ＴＯＣ情報は各格納エリアあるいは複数のフラッシュメモリに交互あるいは順番に格納されるため、フラッシュメモリ記録中に電源遮断等が発生して当該ＴＯＣ情報が破壊されても、少なくとも１回前のＴＯＣ情報は破壊されずに残すことができる。
図２は本発明の第１の実施例であるＤＶＤ記録再生装置の記録動作を示すタイミングチャートである。ホストコンピュータから送られたデータはスクランブルが行われてＢｌｏｃｋ０、１、２、…と順次ＤＲＡＭに格納される。Ｂｌｏｃｋ０、１、２、…のデータ格納終了毎にＤＲＡＭ上に誤り訂正符号が付加されていき、一定ブロック数の誤り訂正符号付加が完了したら８／１６変調して光ディスクへの記録を行う。光ディスクへの一定ブロック数の記録が終了したら、一旦記録を中断し、ここまで記録したデータのＴＯＣ情報を生成し、フラッシュメモリに格納する。
この間もホストコンピュータからはデータが送られて来るので、上記の記録処理を順次行い、一定ブロック数単位で光ディスクへの記録を行い、一定ブロック数の記録が終了したら再び記録を中断し、ここまで記録したデータのＴＯＣ情報を生成し、フラッシュメモリの別のエリア、あるいは別のフラッシュメモリに格納する。
このように一定ブロック数毎にＴＯＣ情報の更新を繰り返すため、データ記録中の電源遮断等によりＴＯＣ情報を光ディスクに記録できなかった場合でも、フラッシュメモリに格納された最新のＴＯＣ情報を参照して光ディスクにデータ記録再生を行うことができる。
また、光ディスク記録再生開始時にこのＴＯＣ情報を光ディスクに記録することにより電源遮断が発生する直前のデータまで復元することができる。ＴＯＣ情報が光ディスクに記録されなくても、当該光ディスク記録再生装置ではフラッシュメモリに格納されたＴＯＣ情報により記録再生が可能であるが、当該光ディスク記録再生装置以外では再生できない。光ディスク記録再生開始時にフラッシュメモリに格納されたＴＯＣ情報を光ディスクに記録することにより別の光ディスク記録再生再生装置でのデータ記録再生が可能となる。
以上の構成により本発明の第１の実施例では、一定ブロック数毎にＴＯＣ情報の更新を繰り返すため、データ記録中の電源遮断等により目次情報を光ディスクに記録できなかった場合でも、フラッシュメモリに格納されたＴＯＣ情報を参照することによりデータの消失を防ぐことができる。
【実施例２】
【００１６】
図３は本発明の第２の実施例であるＤＶＤ記録再生装置の記録データ処理に関係する回路の構成を示すブロック図である。１はＡＴＡＰＩ回路であり、ホストコンピュータからスクランブル回路２にデータを送る。２はスクランブル回路であり、ＡＴＡＰＩ回路１からＤＲＡＭ３にデータを転送する際にデータのスクランブルを行う。３はＤＲＡＭでありデータのバッファリングを行う。４は誤り訂正符号付加回路であり、ＤＲＡＭ３からデータを読み出してシンドローム演算を行いＤＲＡＭ３上に誤り訂正符号を生成する。５は変調回路であり、ＤＲＡＭ３から送られたデータおよび誤り訂正符号を８／１６変調して光ピックアップ６に送る。６は光ピックアップであり、変調回路５から送られた８／１６変調データを光ディスク７に記録する。８はシステムコントローラであり、前記各回路を制御してディスクに対する記録再生動作を行う。また、定期的にＴＯＣ情報を生成してＤＲＡＭ３に転送する。９はフラッシュメモリであり、ＤＲＡＭ３上に生成されたＴＯＣ情報を定期的に記憶する。１０はメモリコントローラであり、ＤＲＡＭ３およびフラッシュメモリ９を制御して各回路とのデータ転送を行う。１１はフラッシュメモリであり、記録終了時にＴＯＣを記録できたかどうかを記憶する。
【００１７】
ＤＶＤに記録する場合、ＡＴＡＰＩ回路１を介してホストコンピュータから送られたデータはまずスクランブル回路２でスクランブルが行われた後、ＤＲＡＭ３に格納される。ＤＲＡＭ３に格納されたデータは誤り訂正符号付加回路４に読み込まれ、シンドローム演算が行われ、ＤＲＡＭ３上に誤り訂正符号が生成される。ＤＲＡＭ３のデータと誤り訂正符号は変調回路５で８／１６変調され、光ピックアップ６を介して光ディスク７に記録される。
【００１８】
記録終了時にはシステムコントローラ８によりＤＲＡＭ３上にＴＯＣ情報が生成され、変調回路５、光ピックアップ６を介して光ディスク７に記録される。同時にフラッシュメモリ１１には、ＴＯＣが記録できたことを記憶させる。
【００１９】
さらに、記録中は一定周期毎にシステムコントローラ８によりＤＲＡＭ３上にＴＯＣ情報が生成され、このＴＯＣ情報は一定周期毎にフラッシュメモリ９に記録される。フラッシュメモリ９は複数のＴＯＣ情報格納エリアあるいは複数のフラッシュメモリで構成されており、ＴＯＣ情報は各格納エリアあるいは複数のフラッシュメモリに交互あるいは順番に格納されるため、フラッシュメモリ記録中に電源遮断等が発生して当該ＴＯＣ情報が破壊されても、少なくとも１回前のＴＯＣ情報は破壊されずに残すことができる。
図４は本発明の第２の実施例であるＤＶＤ記録再生装置の記録動作を示すタイミングチャートである。ホストコンピュータから送られたデータはスクランブルが行われてＢｌｏｃｋ０、１、２、…と順次ＤＲＡＭに格納される。Ｂｌｏｃｋ０、１、２、…のデータ格納終了毎にＤＲＡＭ上に誤り訂正符号が付加されていき、一定ブロック数の誤り訂正符号付加が完了したら８／１６変調して光ディスクへの記録を行う。光ディスクへの一定ブロック数の記録が終了したら、一旦記録を中断し、ここまで記録したデータのＴＯＣ情報を生成し、フラッシュメモリに格納する。
この間もホストコンピュータからはデータが送られて来るので、上記の記録処理を順次行い、一定ブロック数単位で光ディスクへの記録を行い、一定ブロック数の記録が終了したら再び記録を中断し、ここまで記録したデータのＴＯＣ情報を生成し、フラッシュメモリの別のエリア、あるいは別のフラッシュメモリに格納する。
このように一定ブロック数毎にＴＯＣ情報の更新を繰り返すため、データ記録中の電源遮断等によりＴＯＣ情報を光ディスクに記録できなかった場合でも、フラッシュメモリに格納された最新のＴＯＣ情報を参照して光ディスクに記録再生を行うことができる。また、光ディスク記録再生開始時にこのＴＯＣ情報を光ディスクに記録することにより電源遮断が発生する直前のデータまで復元することができる。
さらに、フラッシュメモリを参照することにより記録終了時にＴＯＣ記録まで完了できたかどうか確認できる。
以上の構成により本発明の第２の実施例では、一定ブロック数毎にＴＯＣ情報の更新を繰り返すため、データ記録中の電源遮断等により目次情報を光ディスクに記録できなかった場合でも、フラッシュメモリに格納されたＴＯＣ情報を参照することによりデータの消失を防ぐことができる。
さらに、フラッシュメモリを参照することにより記録終了時にＴＯＣ記録まで完了できたかどうか確認できる。これにより、電源復帰時にむやみにフラッシュメモリに格納されたＴＯＣ情報を光ディスクに記録する必要がなくなり、例えば電源復帰する際に別の光ディスクに交換した場合に、この光ディスクのものではないＴＯＣ情報が記録されて光ディスクが破壊されることを防止することができる。
【実施例３】
【００２０】
図５は本発明の第３の実施例であるＤＶＤ記録再生装置の記録データ処理に関係する回路の構成を示すブロック図である。１はＡＴＡＰＩ回路であり、ホストコンピュータからスクランブル回路２にデータを送る。２はスクランブル回路であり、ＡＴＡＰＩ回路１からＤＲＡＭ３にデータを転送する際にデータのスクランブルを行う。３はＤＲＡＭでありデータのバッファリングを行う。４は誤り訂正符号付加回路であり、ＤＲＡＭ３からデータを読み出してシンドローム演算を行いＤＲＡＭ３上に誤り訂正符号を生成する。５は変調回路であり、ＤＲＡＭ３から送られたデータおよび誤り訂正符号を８／１６変調して光ピックアップ６に送る。６は光ピックアップであり、変調回路５から送られた８／１６変調データを光ディスク７に記録する。１２はシステムコントローラであり、前記各回路を制御してディスクに対する記録再生動作を行う。また、定期的にＴＯＣ情報を生成してＤＲＡＭ３に転送する。１３はメモリコントローラであり、ＤＲＡＭ３を制御して各回路とのデータ転送を行う。
【００２１】
ＤＶＤに記録する場合、ＡＴＡＰＩ回路１を介してホストコンピュータから送られたデータはまずスクランブル回路２でスクランブルが行われた後、ＤＲＡＭ３に格納される。ＤＲＡＭ３に格納されたデータは誤り訂正符号付加回路４に読み込まれ、シンドローム演算が行われ、ＤＲＡＭ３上に誤り訂正符号が生成される。ＤＲＡＭ３のデータと誤り訂正符号は変調回路５で８／１６変調され、光ピックアップ６を介して光ディスク７に記録される。
【００２２】
記録終了時にはシステムコントローラ１２によりＤＲＡＭ３上にＴＯＣ情報が生成され、変調回路５、光ピックアップ６を介して光ディスク７に記録される。
【００２３】
さらに、記録中は一定周期毎にシステムコントローラ１２によりＤＲＡＭ３上にＴＯＣ情報が生成され、このＴＯＣ情報は一定周期毎に光ディスク７に記録される。
図６は本発明の第３の実施例であるＤＶＤ記録再生装置の記録動作を示すタイミングチャートである。ホストコンピュータから送られたデータはスクランブルが行われてＢｌｏｃｋ０、１、２、…と順次ＤＲＡＭに格納される。Ｂｌｏｃｋ０、１、２、…のデータ格納終了毎にＤＲＡＭ上に誤り訂正符号が付加されていき、一定ブロック数の誤り訂正符号付加が完了したら８／１６変調して光ディスクへの記録を行う。光ディスクへの一定ブロック数の記録が終了したら、一旦記録を中断し、ここまで記録したデータのＴＯＣ情報を生成し、光ディスクへの記録を行う。
この間もホストコンピュータからはデータが送られて来るので、上記の記録処理を順次行い、一定ブロック数単位で光ディスクへの記録を行い、一定ブロック数の記録が終了したら再び記録を中断し、ここまで記録したデータのＴＯＣ情報を生成し、光ディスクへの記録を行う。
このように一定ブロック数毎にＴＯＣ情報の更新を繰り返すため、データ記録中の電源遮断等により本来データ記録終了後に記録されるＴＯＣ情報が光ディスクに記録できなかった場合でも、光ディスク上には直前に記録したＴＯＣ情報が残っているため、電源遮断が発生する直前のデータまで復元することができる。
以上の構成により本発明の第３の実施例では、一定ブロック数毎にＴＯＣ情報の更新を繰り返すため、本来データ記録終了後に記録されるＴＯＣ情報が光ディスクに記録できなかった場合でも、光ディスク上には直前に記録したＴＯＣ情報が残っているため、データの消失を防ぐことができる。
さらに、フラッシュメモリが不要なため、第１の実施例に比べて回路の低減を図ることができる。
【００２４】
なお、上記各実施例では、本発明をＤＶＤ記録再生装置に適用した場合を例として説明したが、本発明は上記各実施例に限定されるものではなく、その主旨を逸脱しない範囲で種々に変形して実施することができるものである。
【図面の簡単な説明】
【００２５】
【図１】第１の実施例のディスク記録再生装置の構成を示すブロック図である。
【図２】第１の実施例のディスク記録再生装置の動作を示すタイミングチャートである。
【図３】第２の実施例のディスク記録再生装置の構成を示すブロック図である。
【図４】第２の実施例のディスク記録再生装置の動作を示すタイミングチャートである。
【図５】第３の実施例のディスク記録再生装置の構成を示すブロック図である。
【図６】第３の実施例のディスク記録再生装置の動作を示すタイミングチャートである。
【符号の説明】
【００２６】
１…ＡＴＡＰＩ、２…スクランブル回路、３…ＤＲＡＭ、４…誤り訂正符号付加回路、５……変調回路、６…光ピックアップ、７…光ディスク、８、１２…システムコントローラ、９、１１…フラッシュメモリ、１０、１３…メモリコントローラ
【図１】
2008159163.tif 000003
【図２】
2008159163.tif 000004
【図３】
2008159163.tif 000005
【図４】
2008159163.tif 000006
【図５】
2008159163.tif 000007
【図６】
2008159163.tif 000008